【事件の表示】
　特許第３４２６６８３号「テープ印刷装置」の請求項１、２に係る特許に対する特許異議の申立てについて、次のとおり決定する。
【結　論】
　訂正を認める。
　特許第３４２６６８３号の請求項１に係る特許を維持する。
【理　由】
１．　手続の経緯
　本件特許第３４２６６８３号についての出願は、平成６年２月２２日に出願され、平成１５年５月９日にその設定登録がなされ、その後、平成年月日に村田優子より、請求項１、２に係る発明に対する特許について特許異議の申立がなされ、そして、取消理由通知告知され、その指定期間内である平成１６年９月６日に訂正請求がなされたものである。
　
２．申立て理由の概要
　異議申立人村田優子は、
甲第１号証として、特開平３−１４３６６１号公報
を提出すると共に、周知技術を立証するために、
参考資料として、特開平４−３３１１６９号公報、実開平５−８６５３５号公報、特開平１−１１８４５８号公報を提出して、
甲第１号証には、本件請求項１，２に係る発明の構成中、自動的にテープをカットする旨の構成以外の全てを開示し、且つ、甲第１号証には、テープをカットする位置で停止すること及びカット手段が記載され、更に、自動的にテープをカットすることは、従来周知の技術であるから、本件請求項１、２に係る発明は、特許法第２９条第２項の規定により特許を受けることができない旨主張している。
　
３．　特許権者の求めている訂正
　特許権者が求めている訂正は、平成１６年９月６日付け訂正請求書に記載された、以下のとおりのものである。
　
３−１　特許請求の範囲について
訂正事項Ａ
　特許請求の範囲に記載の
「【請求項１】 ・・印刷手段と、テープを切断するカット手段とを有するテープ印刷装置において、
・・
　所定の信号を発信する指令発信手段と、
その指令発信手段による信号を受けて、・・判別する判別手段と、
　・・
　更に、その制御手段は、
・・その印刷後、前記搬送手段及びカット手段によりフィードカットを行わせる第一制御手段と、
・・特徴とするテープ印刷装置。
【請求項２】 前記指令発信手段は、押下することにより信号を発するキースイッチであることを特徴とする請求項１に記載のテープ印刷装置。」
を、
「【請求項１】 ・・印刷手段と、テープを切断するカット手段とを有するプリンタと、そのプリンタに外部接続され前記印刷データを前記記憶手段の入力するデータ作成装置から成るテープ印刷装置において、
・・
　テープ印刷を指令するために前記データ作成装置において所定の信号を発信して前記プリンタに送信する第一指令発信手段と、
　前記プリンタに設けられたキースイッチから構成され、キースイッチの押下により信号を発信する第二指令発信手段と、
　その第一指令発信手段または第二指令発信手段による信号を受けて、・・判別する判別手段と、
・・
　前記記憶手段は、前記データ作成手段における第一指令発信手段から所定の信号が前記プリンタに送信されたとき前記印刷データが入力されて記憶され、前記データ作成手段からクリア指令が前記プリンタに送信されたとき前記記憶された印刷データが消去され、
　更に、その制御手段は、
・・その印刷後、前記搬送手段によりテープを予め決められた量搬送させるとともに、カット手段によりテープのカットを行わせ、前記判別手段により印刷データが存在しないと判別され、且つ、オートカットモードに設定されている場合、前記印刷手段に印刷動作を行わせることなく、前記搬送手段によりテープを予め決められた量搬送させるとともに、カット手段によりテープのカットを行わせる第一制御手段と、
・・特徴とするテープ印刷装置。」
と訂正する。
　
３−２　発明の詳細な説明について
訂正事項Ｂ
　段落番号【０００７】に記載の「・・外部からこれら印刷装置をコントロールする場合にも、・・多数の指令信号を必要としていた。」を「・・外部からこれら印刷装置の機構をコントロールする場合にも、・・多数の指令信号をホストコンピュータ等において必要としていた。」と訂正する。
　
訂正事項Ｃ
　段落番号【０００９】に記載の「・・を１つの指令（又はキー）で実現することが出来ると共に、その指令１つにより・・」を「・・をデータ作成装置からの１つの指令又はプリンタの１つのキー押下で実現することが出来ると共に、その１つの指令又は１つのキー押下の時におけるプリンタのモード選択や印刷データの存否の状況により・・」と訂正する。
　
訂正事項Ｄ
　段落番号【００１０】に記載の「【課題を解決するための手段】・・テープ印刷装置において、
　・・所定の信号を発信する指令発信手段と、その指令発信手段による信号を受けて、前記記憶手段内に印刷データが存在するか否かを判別する判別手段と、・・更に、その制御手段は、・・その印刷後、前記搬送手段及びカット手段によりフィードカットを行わせる第一制御手段と、前記判別手段により印刷データが存在すると判別され、且つ、テープセーブモードに設定されている場合、前記印刷手段による前記印刷データの印刷のみ行わせる第二制御手段とを備えている。」を「【課題を解決するための手段】・・プリンタと、そのプリンタに外部接続され前記印刷データを前記記憶手段の入力するデータ作成装置から成るテープ印刷装置において、
　・・
　テープ印刷を指令するために前記データ作成装置において所定の信号を発信して前記プリンタに送信する第一指令発信手段と、
　前記プリンタに設けられたキースイッチから構成され、キースイッチの押下により信号を発信する第二指令発信手段と、
　その第一指令発信手段または第二指令発信手段による信号を受けて、・・
　前記記憶手段は、前記データ作成手段における第一指令発信手段から所定の信号が前記プリンタに送信されたとき前記印刷データが入力されて記憶され、前記データ作成手段からクリア指令が前記プリンタに送信されたとき前記記憶された印刷データが消去され、
　更に、その制御手段は、
　・・前記搬送手段によりテープを予め決められた量搬送させるとともに、カット手段によりテープのカットを行わせ、前記判別手段により印刷データが存在しないと判別され、且つ、オートカットモードに設定されている場合、前記印刷手段に印刷動作を行わせることなく、前記搬送手段によりテープを予め決められた量搬送させるとともに、カット手段によりテープのカットを行わせる第一制御手段と、
　前記判別手段により印刷データが存在すると判別され、且つ、テープセーブモードに設定されている場合、前記印刷手段による前記印刷データの印刷のみ行わせる第二制御手段とを備えている。」と訂正する。
　
訂正事項Ｅ
　段落番号【００１２】の記載を削除する。
　
訂正事項Ｆ
　段落番号【００１４】に記載の「【作用】・・記憶手段は入力された印刷データを記憶し、指令発信手段は所定の指令信号を発信する。・・」を「【作用】・・、記憶手段はデータ作成装置から入力された印刷データを記憶し、第一指令発信手段は所定の指令信号をデータ作成装置から発信する。・・」と訂正する。
　
訂正事項Ｇ
　段落番号【００１５】に記載の「印刷装置は、前記指令発信手段からの指令信号を受信すると、判別手段により、記憶手段内に未印刷データが存在するか否かが判断される。
そして、前記判別手段による判断結果と前記モード選択手段による設定とに基づいて、印刷手段，搬送手段及びカット手段を制御する。更に、その制御手段の第一制御手段は、前記判別手段により印刷データが存在すると判別され、且つ、オートカットモードに設定されている場合、前記印刷手段により前記印刷データの印刷を行わせ、その印刷後、前記搬送手段及びカット手段によりフィードカットを行わせる。また、制御手段の第二制御手段は、前記判別手段により印刷データが存在すると判別され、且つ、テープセーブモードに設定されている場合、前記印刷手段による前記印刷データの印刷のみ行わせる。」を「プリンタは、前記第一指令発信手段からの指令信号を受信するか、又はプリンタに設けられたキースイッチの押下により発信された信号を受けると、判別手段により、記憶手段内に未印刷データが存在するか否かが判断される。
そして、前記判別手段による判断結果と前記モード選択手段による設定とに基づいて、印刷手段，搬送手段及びカット手段を制御する。前記記憶手段は、前記データ作成手段における第一指令発信手段から所定の信号が前記プリンタに送信されたとき前記印刷データが入力されて記憶され、前記データ作成手段からクリア指令が前記プリンタに送信されたとき前記記憶された印刷データが消去される。
　更に、その制御手段の第一制御手段は、前記判別手段により印刷データが存在すると判別され、且つ、オートカットモードに設定されている場合、前記印刷手段により前記印刷データの印刷を行わせ、その印刷後、前記搬送手段及びカット手段により搬送手段によりテープを予め決められた量搬送させるとともに、カット手段によりテープのカットを行わせ、前記判別手段により印刷データが存在しないと判別され、且つ、オートカットモードに設定されている場合、前記印刷手段に印刷動作を行わせることなく、前記搬送手段によりテープを予め決められた量搬送させるとともに、カット手段によりテープのカットを行わせる。また、制御手段の第二制御手段は、前記判別手段により印刷データが存在すると判別され、且つ、テープセーブモードに設定されている場合、前記印刷手段による前記印刷データの印刷のみ行わせる。」と訂正する。
　
訂正事項Ｈ
　段落番号【００１６】に記載の「このように、１種類の所定の信号を印刷装置に発信するだけで、印刷装置はそれを受けて自動的に動作状況を判断して、その動作状況に応じた多様な動作を行う。を「このように、データ作成装置が１つの指令であるの信号をプリンタに発信するか、又はプリンタの１つのキーを押下するだけで、プリンタは自動的にモード選択や印刷データの存否の動作状況を判断して、その動作状況に応じた多様な動作を行う。」と訂正する。
　
訂正事項Ｉ
　段落番号【００１９】に記載の「・・ここで、データ作成手段２は、本発明の指令発信手段に相当する。」を「・・ここで、データ作成手段２は、本発明の第一指令発信手段に相当する。」と訂正する。
　
訂正事項Ｊ
　段落番号【００２１】に記載の「・・このＦキー６ｂも、本発明の指令発信手段の一つに相当する。・・」を「・・このＦキー６ｂは、本発明の第二指令発信手段に相当する。・・」
　
訂正事項Ｋ
　段落番号【００５７】に記載の「・・上記処理工程のＳ50乃至Ｓ53が本発明の制御手段に相当し、特に、上記処理工程のＳ50:YES，Ｓ51，Ｓ52:YES及びＳ53の流れが本発明の第一制御手段としての作用を果たし、・・」を「・・上記処理工程のＳ50乃至Ｓ53が本発明の制御手段に相当し、特に、上記処理工程のＳ50:YES，Ｓ51，Ｓ52:YES及びＳ53の流れと、処理工程Ｓ50：NO，Ｓ52:YES及びＳ53の流れが本発明の第一制御手段としての作用を果たし、・・」と訂正する。
　
訂正事項Ｌ
　段落番号【００５８】に記載の「・・オペレータの意図を察知し、要望される動作を行う。」を「・・オペレータの意図を察知する図７のファンクション処理ルーチンにより、要望される動作を行う。」と訂正する。
　
訂正事項Ｍ
段落番号【００６１】に記載の「【発明の効果】・・本発明のテープ印刷装置は、印刷指令と排出指令とカット指令とを１つの指令（又はキー）で実現する・・その指令１つにより多様な用途やモード設定に対応した動作・・可能な印刷装置を提供する・・または装置のキー入力機構を簡略化でき、・・」を「【発明の効果】・・本発明のテープ印刷装置は、印刷指令と排出指令とカット指令とをデータ作成装置からの１つの指令又はプリンタの１つのキー押下で実現する・・その１つの指令又は１つのキー押下時におけるプリンタのモード選択や印刷データの存否状況により多様な用途やモード設定に対応した動作を・・可能なプリンタを提供する・・またはプリンタのキー入力機構を簡略化でき、・・」と訂正する。
　
４．　訂正の適否の判断　
４−１　訂正の目的の適否、新規事項の有無及び拡張・変更の存否
 本件特許明細書の段落番号【００１９】に、「図１に示すように、テープ印刷装置１は、文字や記号等を複数行分表示可能なＣＲＴディスプレイ３とキーボード４と制御本体部５とを備えたデータ作成装置２と、このデータ作成装置２の制御本体部５に接続線Ｌで接続されたプリンター６とから構成されている。尚、ＣＲＴディスプレイ３とキーボード４とは、接続線を介して制御本体部５に夫々接続されている。そして、データ作成装置２により展開処理された文書データや各種指令信号が接続線Ｌを通してプリンタ６へ送信される。ここで、データ作成手段２は、本発明の指令発信手段に相当する。」と、テープ印刷装置に係る技術的事項として、同装置がデータ作成装置とプリンターとから構成されることが記載されている。また、所定の信号を発信する指令発信手段に関する技術的事項として、同段落に、「・・そして、データ作成装置２により展開処理された文書データや各種指令信号が接続線Ｌを通してプリンタ６へ送信される。ここで、データ作成手段２は、本発明の指令発信手段に相当する。」と記載され、加えて、段落番号【００２０】に、「キーボード４には、アルファベットや数字や記号を入力する為の文字キー、スペースキー、リターンキー、カーソルを上下左右方向へ移動させるカーソル移動キー、印刷終了後のフィードカット処理の有無を設定するモード選択キーと、印刷文字のサイズを設定するサイズ設定キー、印刷文字の書体を設定する書体設定キー、各種の編集機能キー、印刷を実行する印刷キー等が設けられている。」と「印刷を実行する印刷キー等が設けられている。」とされ、さらに、段落番号【００４２】の「次に、・・印刷キーが操作されたときには（Ｓ10：Yes、Ｓ11：No、Ｓ13：Yes）、印刷処理制御（図５参照）が実行される（Ｓ14）。」及び段落番号【００４５】の「ラベル１枚分のドットパターンデータが送信されると、次にファンクション指令信号をプリンター６に送信する（Ｓ24）。その結果、プリンター６の後述するファンクション処理により、その文書データが印刷用テープ８に印刷される。・・」の記載及び図５の記載から、データ作成装置の印刷キーは、テープに印刷を指令する所定の信号を発信して、プリンタに送信するものとして記載され、それが、「本発明の指令発信手段に相当する。」とされるのであるから、特許明細書には、テープ印刷を指令するために前記データ作成装置において所定の信号を発信して前記プリンタに送信することが、指令発信手段に係る技術的事項として記載されており、更に、特許明細書には、指令発信手段に係る技術的事項として、段落番号【００２１】に、「又、プリンター６には、その上面に、プリンター６の電源キー６ａと、印刷用テープ８のフィードカットを行わせたり、印刷を実行させる等の様々な動作を実行させるファンクションキー（以下、Ｆキーと称する。）６ｂとの２つのキースイッチ６０が設けられている。このＦキー６ｂも、本発明の指令発信手段の一つに相当する。・・」と記載され、指令発信手段として、プリンタに設けられたキースイッチから構成され、キースイッチの押下により信号を発信するという技術的事項も記載されている。
　これら複数の指令発信手段に係る技術的事項による限定を加えるにあたり、それぞれを第一，第二と名付けることは、単に限定を明瞭とする以上のものではない。また、このように指令発信手段を第一指令発信手段と、第二指令発信手段と記載したことに伴い、特許明細書の請求項１に記載された「・・その指令発信手段による信号を受けて、前記記憶手段内に印刷データが存在するか否かを判別する判別手段・・」を「その第一指令発信手段または第二指令発信手段による信号を受けて、前記記憶手段内に印刷データが存在するか否かを判別する判別手段と、」と訂正することも、指令発信手段に係る上記訂正に伴い新たに不明瞭となることを防ぐものであり、前記訂正と一体をなして、特許請求の範囲に構成として記載された指令発信手段を特許明細書に、同構成と関連して記載された技術的事項により限定を行うものである。
　次に、「記憶手段」に関連して、特許明細書の段落番号【００４２】に、「次に、上記データ「Thomas JEFFERSON」の印刷を選択して、印刷キーが操作されたときには（Ｓ10：Yes、Ｓ11：No、Ｓ13：Yes）、印刷処理制御（図５参照）が実行される（Ｓ14）。」と上記第一指令発信手段と名付けた指令発信手段である「印刷キー」の操作に伴う作動が記載され、更に、段落番号【００４４】に、「上記イメージ変換処理が完了すると、通信用インターフェース３７と接続線Ｌとを介してプリンター６に動作状況通知指令を送信し、プリンター６から内部機構各々の動作状況を送信させる（Ｓ21）。・・」と、段落番号【００５２】に、「データを受信し（Ｓ36、Ｓ37：NO）、そのデータがラベルのドットパターンからなる文書データである場合には（Ｓ38:YES）、受信した文書データをＲＡＭ５６のイメージバッファ５６ｂに順次格納する（Ｓ42）。・・」と記憶手段であるＲＡＭに記憶するという技術的事項が記載され、そのＲＡＭに記憶された印刷データに関して、段落番号【００５４】に、「Ｓ39において、Ｆ指令で無い場合には、データ操作や印刷動作設定、プリンター６の各部機構の駆動等の、受信した各々の指令に応じた動作を行う（Ｓ40）。例えば、動作状況通知指令を受けたなら、現在の印刷処理状況や各機構の異常等のプリンター６の動作状況を返信する。また、メモリクリア指令を受けると、ＲＡＭ５６中の文書データを消去する。・・」と記載されているので、「前記記憶手段は、前記データ作成手段における第一指令発信手段から所定の信号が前記プリンタに送信されたとき前記印刷データが入力されて記憶され、前記データ作成手段からクリア指令が前記プリンタに送信されたとき前記記憶された印刷データが消去される」は、記憶手段を同手段に係る特許明細書に記載された技術的事項で限定するものである。
　また、特許明細書には、搬送手段及びカット手段に係る技術的事項として、特許明細書の段落番号【００４５】に、「・・文書データが印刷用テープ８に印刷される。そして、印刷用テープ８が所定量だけ送給された後、カッタ機構６５で切断され、・・」と所定量の搬送後のテープのカットが記載されており、更に、段落番号【００２８】に、「・・前記サーマルヘッド１１による印刷位置とカッタ機構６５による切断位置との間は距離ｎだけ離れている。この距離ｎをヘッド・カッタ間距離ｎとする。本実施例ではｎ＝２５mmである。」と記載された上で、段落番号【００５６】に、「モード設定がオートカットモードであるならば（Ｓ52:YES）、テープ送りモータ５０により２５mmのテープ送りをし、その後に、ＤＣモータ７１を駆動させてテープカットを行う、いわゆるフィードカット処理を行う（Ｓ53）。・・」と記載されているのであるから、「その印刷後、前記搬送手段によりテープを予め決められた量搬送させるとともに、カット手段によりテープのカットを行わせ」とする訂正も、特許請求の範囲に記載された構成を特許明細書に記載された技術的事項で限定するものである。
　加えて、特許明細書の段落番号【００５５】に、「・・印刷処理終了後には、前記Ｓ34にて設定された印刷後のフィードカット処理に関するモード設定が、オートカットモードであるか否かが判別される（Ｓ52）。一方、ＲＡＭ５６のイメージバッファ５６ｂに文書データが無い場合（Ｓ50：NO）もＳ52へ移行し、モード設定がどうであるかを判別する。」と、段落番号【００５６】に、「モード設定がオートカットモードであるならば（Ｓ52:YES）、テープ送りモータ５０により２５mmのテープ送りをし、その後に、ＤＣモータ７１を駆動させてテープカットを行う、いわゆるフィードカット処理を行う（Ｓ53）。フィードカットを行った後はファンクション処理を終了し、図６のフローチャートに戻る。一方、モード設定がテープセーブモードであるならば（Ｓ52:NO ）、フィードカット処理を行わずに図６のフローチャートに戻る。」と、段落番号【００５７】に、「尚、上記処理工程のＳ50及びＳ52が本発明の判別手段に相当し、上記処理工程のＳ50乃至Ｓ53が本発明の制御手段に相当し、特に、上記処理工程のＳ50:YES，Ｓ51，Ｓ52:YES及びＳ53の流れが本発明の第一制御手段としての作用を果たし、処理工程のＳ50:YES，Ｓ51，Ｓ52:NO の流れが本発明の第二制御手段としての作用を果たす。」と記載されているので、「前記判別手段により印刷データが存在しないと判別され、且つ、オートカットモードに設定されている場合、前記印刷手段に印刷動作を行わせることなく、前記搬送手段によりテープを予め決められた量搬送させるとともに、カット手段によりテープのカットを行わせる」は、第一制御手段に係る技術的事項として、特許明細書に記載された事項である。
　したがって、訂正事項Ａは、特許請求の範囲に記載された構成を特許明細書に記載された同構成に係る技術的事項により限定すると共に、請求項２を削除するものであるから、特許請求の範囲の減縮を目的とするものであって、新規事項を追加するものではなく、しかも、実質上特許請求の範囲を拡張し、又は変更するものではない。
　
　訂正事項Ｂは、特許明細書の段落番号【０００７】に記載の「・・外部からこれら印刷装置をコントロールする場合にも・・」が、印刷装置の機構をコントロールすることを明らかとすると共に、同記載の「・・多数の指令信号を必要としていた。」のが、ホストコンピュータ等であることを明らかとするものであり、訂正事項Ｃ、Ｈ、Ｍは、特許明細書に記載の「・・を１つの指令（又はキー）・・」を「・・をデータ作成装置からの１つの指令又はプリンタの１つのキー押下・・」であることに明らかとし、その指令１つにより、プリンタのモード選択や印刷データの存否の状況により多様な用途に対応した動作を行わせることを明らかとするものであり、更に、訂正事項Ｍは印刷装置がプリンタであることを明らかとするものであるからから、これら訂正は、不明瞭な記載を釈明することを目的とするものであって、新規事項を追加するものではなく、しかも、実質上特許請求の範囲を拡張し、又は変更するものではない。
　
　訂正事項Ｄ〜Ｇ、Ｉ〜Ｋは、訂正事項Ａによる訂正に記載を合わせるための訂正であり、訂正事項Ａによる訂正と一体をなして、特許請求の範囲の減縮を目的とするものである。
　
　また、訂正事項Ｌは、オペレータの意図を察知するものが何であるかを明らかとするものであり、不明瞭な記載を釈明することを目的とするものであって、新規事項を追加するものではなく、しかも、実質上特許請求の範囲を拡張し、又は変更するものではない。
　
４−２　むすび
　上記訂正は、特許異議の申立がなされていない請求項に係るものではなく、以上のとおり、平成６年法律第１１６号附則第６条第１項の規定によりなお従前の例によるとされる特許法第１２０条の４第３項において準用する特許法第１２６条第１項ただし書、第２項及び第３項の規定に適合するので、これを認める。
　
５．特許異議申立に対する判断
５−１　本件発明
　本件請求項１に係る発明は、訂正された特許請求の範囲に記載された以下のとおりのものである。
「【請求項１】 入力された印刷データを記憶可能な記憶手段と、テープを搬送する搬送手段と、前記記憶手段に記憶された印刷データをテープ上に印刷する印刷手段と、テープを切断するカット手段とを有するプリンタと、そのプリンタに外部接続され前記印刷データを前記記憶手段の入力するデータ作成装置から成るテープ印刷装置において、
　前記印刷手段による印刷の終了毎に自動的にテープをフィードカットさせるオートカットモードと、印刷終了後にフィードカットを行わないテープセーブモードとのいずれかを選択設定させるモード選択手段と、
　テープ印刷を指令するために前記データ作成装置において所定の信号を発信して前記プリンタに送信する第一指令発信手段と、
　前記プリンタに設けられたキースイッチから構成され、キースイッチの押下により信号を発信する第二指令発信手段と、
　その第一指令発信手段または第二指令発信手段による信号を受けて、前記記憶手段内に印刷データが存在するか否かを判別する判別手段と、
　前記モード選択手段による設定と前記判別手段による判別結果とに基づいて、前記印刷手段，搬送手段及びカット手段を制御する制御手段とを備え、
　前記記憶手段は、前記データ作成手段における第一指令発信手段から所定の信号が前記プリンタに送信されたとき前記印刷データが入力されて記憶され、前記データ作成手段からクリア指令が前記プリンタに送信されたとき前記記憶された印刷データが消去され、
　更に、その制御手段は、
　前記判別手段により印刷データが存在すると判別され、且つ、オートカットモードに設定されている場合、前記印刷手段により前記印刷データの印刷を行わせ、その印刷後、前記搬送手段によりテープを予め決められた量搬送させるとともに、カット手段によりテープのカットを行わせ、前記判別手段により印刷データが存在しないと判別され、且つ、オートカットモードに設定されている場合、前記印刷手段に印刷動作を行わせることなく、前記搬送手段によりテープを予め決められた量搬送させるとともに、カット手段によりテープのカットを行わせる第一制御手段と、
　前記判別手段により印刷データが存在すると判別され、且つ、テープセーブモードに設定されている場合、前記印刷手段による前記印刷データの印刷のみ行わせる第二制御手段とを備えたことを特徴とするテープ印刷装置。」
　
　したがって、本件請求項１に係る発明は、少なくとも、
制御手段は、判別手段により印刷データが存在すると判別され、且つ、オートカットモードに設定されている場合、前記印刷手段により前記印刷データの印刷を行わせ、その印刷後、前記搬送手段によりテープを予め決められた量搬送させるとともに、カット手段によりテープのカットを行わせ、前記判別手段により印刷データが存在しないと判別され、且つ、オートカットモードに設定されている場合、前記印刷手段に印刷動作を行わせることなく、前記搬送手段によりテープを予め決められた量搬送させるとともに、カット手段によりテープのカットを行わせる第一制御手段を有すること
をその構成の一部として有するものであり、同構成を有することにより、選択的に、印刷終了位置からテープを所定量搬送してカットすることができると共に、印刷データがない場合でも、搬送手段によりテープを予め決められた量搬送させ、カット手段によりテープのカットを行わせることがでるものである。
　
５−２　異議申立人の提出した刊行物に記載された発明
　異議申立人が提出した甲第１号証（特開平３−７９３３５号公報）には、異議申立人が主張するように、
　操作された文字入力キー３５に相当する文字データを記憶する記憶手段であるキーデータ記憶領域３９、
印刷テープ１を排出口１５送り出すテープの搬送手段である駆動ローラ９、
キーデータ記憶領域に記憶されたデータを印刷テープ１にインクを熱転写することにより印刷する印刷手段であるサーマルヘッド５
レバー部材１９の操作により回転されるテープをカットする手段であるカッター部材１７及び「テープカット」表示を行う表示部２７
印刷の開始後テープの切断位置の手前まで送られたときに停止させると共に、切断位置まで送られないときには切断位置まで送るモードであるテープカットモードを選択的に設定するテープカットモード設定キー３８
印刷指令データを入力するためのキーであり、その指令が発信されたことが判断されるとテープカットモード設定キー３８の操作が判別される印刷指令キー３７
キーデータ記憶領域３９に印刷されないデータが残っているか否かを判断する判別処理Ｓ９
駆動ローラ９、サーマルヘッド５、「テープカット」の表示を行う表示部２７を制御するＣＰＵ２３
判別処理Ｓ９でデータが残っていると判断され、かつ、判別処理Ｓ１０でテープカットモードが設定されていると判別された場合に、モータの移動ステップ数が所定量に達するまで、印刷を行い、所定量に達したときに、印刷動作を止めて表示部２７に「テープカット」の表示を行い、判別処理Ｓ９でデータが残っていないと判断され、かつ、判別処理Ｓ１２でテープカットモードが設定されていると判別された場合に、所定ステップ数に達するまで印刷テープを送り（Ｓ１３，Ｓ１４）、表示部２７には「テープカット」の表示を行わないように制御する手段
判別処理Ｓ９でデータが残っていると判断され、かつ、判別処理Ｓ１０でテープカットモードが設定されていないと判別された場合、データがなくなるまで印刷を行い、その後に判別処理Ｓ１２でテープカットモードが設定されていないと判別され、印刷動作のみを行うこと
を備えたテープ印刷装置
が記載されるものと認める。
　
５−３　対比判断
　ここで、本件請求項１に係る発明と、甲第１号証のに記載される発明とを比較すると、甲第１号証の印刷指令キー３７は、本件発明のプリンタ側に存在する指令を発信するキーであり、「第二指令発信手段」に相当する配置を有するものであり、データ作成装置側に存在する本件特許発明の「第一指令発信手段」の記載が甲第１号証に記載または示唆されるか否かはさておき、本件発明の「第一制御手段」は、印刷後にテープを「予め決められた量」送るフィード処理とテープをカットするカット処理とを選択的に行わせる構成であるのに対して、甲第１号証の発明では、印刷指令キーからの発信により、印刷終了後に送られる量は、印刷に要したステップ数を含めて送り量が所定となるもの、即ち、印刷後にテープを送る量は、「予め決められた量」ではなく、決められた量から現在のステップ数を減じた差分だけテープを送るものである。
　したがって、両発明は、少なくても以下の点で相違している。
相違点
　本件請求項１に係る発明の制御手段は、判別手段により印刷データが存在すると判別され、且つ、オートカットモードに設定されている場合、前記印刷手段により前記印刷データの印刷を行わせ、その印刷後、前記搬送手段によりテープを予め決められた量搬送させるとともに、カット手段によりテープのカットを行わせ、前記判別手段により印刷データが存在しないと判別され、且つ、オートカットモードに設定されている場合、前記印刷手段に印刷動作を行わせることなく、前記搬送手段によりテープを予め決められた量搬送させるとともに、カット手段によりテープのカットを行わせる第一制御手段を有するものであるのに対して、甲第１号証に記載される発明は、判別処理Ｓ９でデータが残っていると判断され、かつ、判別処理Ｓ１０でテープカットモードが設定されていると判別された場合に、モータの移動ステップ数が所定量に達するまで、印刷を行い、所定量に達したときに、印刷動作を止めて表示部２７に「テープカット」の表示を行い、判別処理Ｓ９でデータが残っていないと判断され、かつ、判別処理Ｓ１２でテープカットモードが設定されていると判別された場合に、所定ステップ数に達するまで印刷テープを送り表示部２７には「テープカット」の表示を行わないように制御する手段を有し、そのテープ送りが選択的であるとしても、その送り量は、予め決められた量ではない点
　そして、参考資料を見ても、フィードカットの送り量として、予め決められた量を搬送させることが公知または周知とするものではなく、更に、このことを公知または周知とする客観的事実は認められない。
　そして、本件請求項１に係る発明は、上記相違点の構成を有することにより、本件発明特有の効果を奏するものであり、本件請求項１に係る発明を同発明の構成の一部を開示しない甲第１号証に記載された発明とすることはできないと共に、同発明に基づいて、当業者が容易に発明をすることができたとすることもできない。
　
５−４　むすび
　上述のとおり、異議申立人の提出した証拠及び理由によっては、本件請求項１に係る発明を取り消すことはできない。また、他に、本件請求項１に係る発明についての特許を取り消すべき理由を発見しない。
　
　よって、結論のとおり決定する。
【異議決定日】
平成１６年１２月３日（２００４．１２．３）
【訂正の要旨】
審決（決定）の【理由】欄参照。
（５４）【発明の名称】
テープ印刷装置
（５７）【特許請求の範囲】
　【請求項１】入力された印刷データを記憶可能な記憶手段と、テープを搬送する搬送手段と、前記記憶手段に記憶された印刷データをテープ上に印刷する印刷手段と、テープを切断するカット手段とを有する
プリンタと、そのプリンタに外部接続され前記印刷データを前記記憶手段に入力するデータ作成装置とからなる
　前記印刷手段による印刷の終了毎に自動的にテープをフィードカットさせるオートカットモードと、印刷終了後にフィードカットを行わないテープセーブモードとのいずれかを選択設定させるモード選択手段と、
　
テープの印刷を指令するために前記データ作成装置において
して前記プリンタに送信する第一
　
前記プリンタに設けられたキースイッチから構成され、キースイッチの押下により信号を発信する第二指令発信手段と、
　その
第一指令発信手段または第二
　前記モード選択手段による設定と前記判別手段による判別結果とに基づいて、前記印刷手段、搬送手段及びカット手段を制御する制御手段とを備え、
　
前記記憶手段は、前記データ作成装置における第一指令発信手段から所定の信号が前記プリンタに送信されたとき前記印刷データが入力されて記憶され、前記データ作成装置からクリア指令が前記プリンタに送信されたとき前記記憶された印刷データが消去され、
　更に、その制御手段は、
　前記判別手段により印刷データが存在すると判別され、且つ、オートカットモードに設定されている場合、前記印刷手段により前記印刷データの印刷を行わせ、その印刷後、前記搬送手段
によりテープを予め決められた量搬送させるとともに、
テープの
、前記判別手段により印刷データが存在しないと判別され、且つ、オートカットモードに設定されている場合、前記印刷手段に印刷動作を行わせることなく、前記搬送手段によりテープを予め決められた量搬送させるとともに、カット手段によりテープのカットを行わせる
　前記判別手段により印刷データが存在すると判別され、且つ、テープセーブモードに設定されている場合、前記印刷手段による前記印刷データの印刷のみ行わせる第二制御手段とを備えたことを特徴とするテープ印刷装置。
【発明の詳細な説明】
　【０００１】
　【産業上の利用分野】
　本発明は、印刷媒体としてのテープを切断するカット手段を有するテープ印刷装置に関するものである。
　【０００２】
　【従来の技術】
　従来、ロール紙等の長尺物に印刷を行い、印刷が行われた部分だけを切り離して１枚の印刷物を作成する、カット機構を備えた印刷装置、例えば、ファクシミリやテープ印刷装置等が知られている。
　【０００３】
　そして、よく行われる処理動作としては、所望のデータを印刷する印刷処理と、前回印刷された書類（ラベル）を入手するためや、印刷に失敗した用紙（テープ）を取り除いたり、用紙（テープ）の先頭を揃える等のために行われるフィードカット処理とがある。
　【０００４】
　フィードカット処理とは、用紙（テープ）を現在ある状態から所定距離だけ搬送し、その後カット機構による用紙（テープ）カットを行うものであり、又、前出の印刷処理の後に続けてこのフィードカット処理を行わせるのが常である。
　【０００５】
　そのため、このようなカット機構を備えた印刷装置には、印刷動作を行ったら、印刷動作終了後に自動的にカット機構を駆動させるオートカットモードを設定できるものが存在する。例えば、あるテープ印刷装置のオートカットモードは、オートカットモードＯＮの場合、印刷動作終了後に２５ｍｍテープ送りを行い、その後、カット機構を駆動してテープカットを行う。尚、オートカットモードＯＦＦの場合は、印字動作が終了した状態で停止する。
　【０００６】
　【発明が解決しようとする課題】
　しかしながら、以上のカット手段を有する印刷装置においては、各々の機構を動作させるために多数のキースイッチ等、例えば、データを印字するための印字指令キーと、用紙（テープ）を排出するための排出指令キーと、用紙（テープ）カットを行わせるカットキー等との複数のキーが必要であった。そして、このキースイッチのため、印刷装置の小型化が妨げられ、コスト的にも負担が掛かっていた。
　【０００７】
　また、ホストコンピュータ等により、外部からこれら印刷装置
の機構
ホストコンピュータ等において
　【０００８】
　更に、印刷装置に所望の動作をさせるには、これらのキーの押下や指令信号を組み合わせて、細かに動作を指定しなければならず、その指定の為に従来の印刷装置はオペレータにキー操作等の負担を掛けていた。
　【０００９】
　本発明は、上述した問題点を解決するためになされたものであり、本発明によれば、印刷指令と排出指令とカット指令とを
データ作成装置からの
又はプリンタの１つのキー押下
１つの指令又は１つのキー押下の時におけるプリンタのモード選択や印刷データの存否の状況
　【００１０】
　【課題を解決するための手段】
　この目的を達成するために本発明のテープ印刷装置は、入力された印刷データを記憶可能な記憶手段と、テープを搬送する搬送手段と、前記記憶手段に記憶された印刷データをテープ上に印刷する印刷手段と、テープを切断するカット手段とを有する
プリンタと、そのプリンタに外部接続され前記印刷データを前記記憶手段に入力するデータ作成装置とからなる
テープの印刷を指令するために前記データ作成装置において
して前記プリンタに送信する第一
前記プリンタに設けられたキースイッチから構成され、キースイッチの押下により信号を発信する第二指令発信手段と、
第一指令発信手段または第二
前記記憶手段は、前記データ作成装置における第一指令発信手段から所定の信号が前記プリンタに送信されたとき前記印刷データが入力されて記憶され、前記データ作成装置からクリア指令が前記プリンタに送信されたとき前記記憶された印刷データが消去され、
によりテープを予め決められた量搬送させるとともに、
テープの
、前記判別手段により印刷データが存在しないと判別され、且つ、オートカットモードに設定されている場合、前記印刷手段に印刷動作を行わせることなく、前記搬送手段によりテープを予め決められた量搬送させるとともに、カット手段によりテープのカットを行わせる
　【００１１】
　【００１２】
　【００１３】
　【００１４】
　【作用】
　上記の構成を有する本発明のテープ印刷装置において、記憶手段は
データ作成装置から
第一
データ作成装置から
　【００１５】
　
プリンタ
第一
か、又はプリンタに設けられたキースイッチの押下により発信された信号を受ける
　
前記記憶手段は、前記データ作成装置における第一指令発信手段から所定の信号が前記プリンタに送信されたとき前記印刷データが入力されて記憶され、前記データ作成装置からクリア指令が前記プリンタに送信されたとき前記記憶された印刷データが消去される。
　更に、その制御手段の第一制御手段は、前記判別手段により印刷データが存在すると判別され、且つ、オートカットモードに設定されている場合、前記印刷手段により前記印刷データの印刷を行わせ、その印刷後、前記搬送手段
によりテープを予め決められた量搬送させるとともに、
テープの
、前記判別手段により印刷データが存在しないと判別され、且つ、オートカットモードに設定されている場合、前記印刷手段に印刷動作を行わせることなく、前記搬送手段によりテープを予め決められた量搬送させるとともに、カット手段によりテープのカット
　【００１６】
　このように、
データ作成装置が１つの指令である
プリンタに発信するか、又はプリンタの１つのキーを押下
プリンタは
モード選択や印刷データの存否の
　【００１７】
　【実施例】
　以下、本発明を具体化した一実施例を図面を参照して説明する。
　【００１８】
　本実施例は、アルファベット文字や記号等の多数のキャラクタや図形のための有効データを入力して印刷用テープに印刷可能なテープ印刷装置に本発明を適用した場合のものである。
　【００１９】
　図１に示すように、テープ印刷装置１は、文字や記号等を複数行分表示可能なＣＲＴディスプレイ３とキーボード４と制御本体部５とを備えたデータ作成装置２と、このデータ作成装置２の制御本体部５に接続線Ｌで接続されたプリンター６とから構成されている。尚、ＣＲＴディスプレイ３とキーボード４とは、接続線を介して制御本体部５に夫々接続されている。そして、データ作成装置２により展開処理された文書データや各種指令信号が接続線Ｌを通してプリンタ６へ送信される。ここで、データ作成手段２は、本発明の
第一
　【００２０】
　キーボード４には、アルファベットや数字や記号を入力する為の文字キー、スペースキー、リターンキー、カーソルを上下左右方向へ移動させるカーソル移動キー、印刷終了後のフィードカット処理の有無を設定するモード選択キーと、印刷文字のサイズを設定するサイズ設定キー、印刷文字の書体を設定する書体設定キー、各種の編集機能キー、印刷を実行する印刷キー等が設けられている。
　【００２１】
　又、プリンター６には、その上面に、プリンター６の電源キー６ａと、印刷用テープ８のフィードカットを行わせたり、印刷を実行させる等の様々な動作を実行させるファンクションキー（以下、Ｆキーと称する。）６ｂとの２つのキースイッチ６０が設けられている。このＦキー６ｂ
は
第二指令発信手段
　【００２２】
　次に、図２に基づいて、プリンター６に内蔵された印刷機構ＰＭについて簡単に説明すると、印刷機構ＰＭに着脱自在に矩形状のテープ収納カセットＣＳが装着されており、このテープ収納カセットＣＳには、透明なフィルムからなる幅約２４ｍｍの印刷用テープ８が巻装されたテープスプール９と、インクリボン１０が巻装されたリボン供給スプール１１と、このインクリボン１０を巻取る巻取りスプール１２と、印刷用テープ８と同一幅を有する両面テープ１３が剥離紙を外側にして巻装された供給スプール１４と、これら印刷用テープ８と両面テープ１３とを接合させる接合ローラ１５とが回転自在に設けられている。
　【００２３】
　印刷用テープ８とインクリボン１０とが重なる位置には、サーマルヘッド１６が立設され、これら印刷用テープ８とインクリボン１０とをサーマルヘッド１６に押圧するプラテンローラ１７と、印刷用テープ８と両面テープ１３とを接合ローラ１５に押圧する送りローラ１８とは、プリンター６のフレームに回動自在に枢着された支持体１９に回転可能に枢支されている。このサーマルヘッド１６には、１２８個の発熱素子からなる発熱素子群が上下方向に列設されている。
　【００２４】
　従って、テープ送りモータ５０（図３参照）の所定回転方向への駆動により接合ローラ１５と巻取りスプール１２とが所定回転方向に夫々同期して駆動されながら発熱素子群に通電されたとき、印刷用テープ８上には複数のドット列により文字が印刷され、しかも印刷用テープ８は両面テープ１３を接合した状態でテープ送り方向Ａにテープ送りされ、図１に示すように、プリンター６の外部に送り出される。尚、印刷機構ＰＭの詳細については、特開平２−１０６５５５号公報に開示された公知の印刷機構と同様であるのでその説明を省略する。
　【００２５】
　尚、接合ローラ１５及びテープ送りモータ５０が本発明の搬送手段に相当し、サーマルヘッド１６が本発明の印刷手段の主体をなす。
　【００２６】
　ここで、前記テープ収納カセットＣＳとして、テープ幅が６ｍｍ、９ｍｍ、１２ｍｍ、１８ｍｍ、２４ｍｍの印刷用テープ８を収納した５種類のカセットＣＳが準備されており、これらテープ収納カセットＣＳの底部壁には、第１突出片〜第３突出片２０〜２２のうちの何れかの突出片が組合せて設けられている。そして、プリンター６のフレームには、これら第１突出片〜第３突出片２０〜２２の有無を夫々検出する為のフォトインタラプタからなるテープ幅センサ５３（図３参照）が取付けられている。
　【００２７】
　また、印刷用テープ８の送り方向に沿ってサーマルヘッド１６の下流側であるラベル排出孔２３の近傍には、本発明のカット手段に相当するカッタ機構６５が配設されている。このカッタ機構６５は公知のハサミと同様に構成されており、固定刃６６と可動刃６７とからなる。この可動刃６７は枢支軸６８を中心として回動する回動レバー６９に固着されており、また、回動レバー６９はギヤ機構７０を介してＤＣモータ７１の駆動軸７１Ａに固着されたピニオン７２と連結されている。
　【００２８】
　これより、可動刃６７はＤＣモータ７１の駆動軸７１Ａの正逆回転に伴いピニオン７２、ギヤ機構７０、回動レバー６９を介して、枢支軸６８を支点として開閉するものであり、かかる開閉動作に伴い固定刃６６と協働して作成されたラベル２５を切断するものである。前記サーマルヘッド１１による印刷位置とカッタ機構６５による切断位置との間は距離ｎだけ離れている。この距離ｎをヘッド・カッタ間距離ｎとする。本実施例ではｎ＝２５ｍｍである。
　【００２９】
　次に、テープ印刷装置１の制御系は、図３のブロック図に示すように構成されている。
　【００３０】
　先ず、データ作成装置２の制御系について説明すると、キーボード（Ｋ／Ｂ）４と、ＣＲＴディスプレイ（ＣＲＴＤ）３に表示データを出力する為の表示用ＲＡＭを有するＣＲＴディスプレイコントローラ（ＣＲＴＣ）３０と、制御本体部５に設けられたフロッピーディスクドライブ（ＦＤＤ）３１の為のフロッピーディスクドライブコントローラ（ＦＤＣ）３２とは、制御本体部５に設けられた制御装置Ｃ１の入出力インターフェース（入出力Ｉ／Ｆ）３６に夫々接続されている。
　【００３１】
　制御装置Ｃ１は、ＣＰＵ３３と、このＣＰＵ３３にデータバス等のバス３８を介して接続された入出力インターフェース３６と、通信用インターフェース（Ｉ／Ｆ）３７と、ハードディスクを装着したハードディスクドライブ装置（ＨＤＤ）３４の為のハードディスクドライブコントローラ（ＨＤＣ）３５と、ＲＡＭ４０とから構成されている。
　【００３２】
　前記ハードディスクには、多数のキャラクタの各々に関して、表示の為のドットパターンデータがコードデータに対応させて格納された表示パターンデータメモリ、キャラクタを印刷する為に多数のキャラクタの各々に関して、キャラクタの輪郭線を規定する輪郭線データ（アウトラインデータ）が書体（ゴシック系書体、明朝系書体等）毎に分類されコードデータに対応させて格納されたフォントメモリ、キーボード４から入力された文字や数字や記号等のキャラクタのコードデータに対応させてＣＲＴディスプレイコントローラ３０を制御する表示駆動制御プログラム、ＲＡＭ４０のテキストメモリ４１の各コードデータに対応するアウトラインデータからドットパターンデータに変換処理してプリンター６に出力するイメージ展開制御プログラム等が格納されている。
　【００３３】
　前記ＲＡＭ４０のテキストメモリ４１には、キーボード４から入力された文書のデータが格納される。印刷フォーマットメモリ４２には、設定された文字サイズのデータや書体番号のデータなど複数の印刷フォーマット情報が格納される。印刷バッファ４３には、イメージ展開された文字や記号の印刷用ドットパターンデータが格納される。ワークメモリ４４には、データ処理する上で必要なデータが一時的に格納される。
　【００３４】
　次に、プリンター６の制御系について説明すると、サーマルヘッド１６を駆動する為の駆動回路５２と、テープ送りモータ５０を駆動する為の駆動回路５１と、ＤＣモータ７１を駆動するための駆動回路７３と、テープ幅センサ５３と、キースイッチ６０とは制御装置Ｃ２の入出力インターフェース（入出力Ｉ／Ｆ）５７に夫々接続されている。
　【００３５】
　制御装置Ｃ２は、ＣＰＵ５４と、このＣＰＵ５４にデータバスなどのバス５９を介して接続された入出力インターフェース（入出力Ｉ／Ｆ）５７と、通信用インターフェース（Ｉ／Ｆ）５８と、ＲＯＭ５５と、ＲＡＭ５６とから構成されている。尚、ＲＡＭ５６が本発明の記憶手段に相当する。
　【００３６】
　前記ＲＯＭ５５には、データ作成装置２から送信されたドットパターンデータに基づいてサーマルヘッド１６やテープ送りモータ５０等を駆動する印刷駆動制御プログラム、データ作成手段２若しくはキースイッチ６０により受けた指令に基づいて各部機構を制御するプログラム等が格納されている。
　【００３７】
　前記ＲＡＭ５６には、通信用インターフェース５８を介して、データ作成装置２から送信されたドットパターンデータを受信する受信バッファ５６ａ、その受信したデータを格納するイメージバッファ５６ｂ、ＣＰＵ５４で演算した演算結果を一時的に格納する為の各種のメモリ、各部の動作状態を示すフラグ及びポインタ等が設けられている。
　【００３８】
　次に、データ作成装置２の制御装置Ｃ１で行なわれるテープ印刷制御のルーチンについて、図４及び図５の概略フローチャートに基づいて説明する。尚、図中符号Ｓｉ（ｉ＝１０、１１、１２・・・・）は各ステップである。
　【００３９】
　電源が投入されると、この制御が開始され、アルファベットキーや記号キーや数字キー等の印刷可能キーが操作されたときには（Ｓ１０・Ｓ１１：Ｙｅｓ）、入力されたコードデータを文書データとしてＲＡＭ４０のテキストメモリ４１に格納する文書データ入力処理が実行されにとともに、そのコードデータに対応するキャラクタをＣＲＴディスプレイ３に表示する表示処理が実行され（Ｓ１２）、Ｓ１０に戻る。例えば、文書データとして、ラベル印刷用の文書データ「Ｔｈｏｍａｓ　ＪＥＦＦＥＲＳＯＮ」が入力されたときには、この文書データがテキストメモリ４１に格納され且つＣＲＴディスプレイ３に表示される。
　【００４０】
　次に、サイズ設定キーや書体設定キーや各種の編集キーが操作されたときには（Ｓ１０：Ｙｅｓ、Ｓ１１：Ｎｏ、Ｓ１３：Ｎｏ、Ｓ１５：ＮＯ）、文字サイズデータや書体番号データ等の印刷フォーマット情報がＲＡＭ４０の印刷フォーマットメモリ４２に格納される等、操作されたキーに対応する処理が実行され（Ｓ１７）、Ｓ１０に戻る。
　【００４１】
　Ｓ１０において、排出キーが操作されたときには（Ｓ１１：ＮＯ、Ｓ１２：ＹＥＳ）、プリンター６に後述のファンクション処理（図７参照）を行わせる所定のファンクション指令信号をプリンター６に送信して、Ｓ１０に戻る。
　【００４２】
　次に、上記データ「Ｔｈｏｍａｓ　ＪＥＦＦＥＲＳＯＮ」の印刷を選択して、印刷キーが操作されたときには（Ｓ１０：Ｙｅｓ、Ｓ１１：Ｎｏ、Ｓ１３：Ｙｅｓ）、印刷処理制御（図５参照）が実行される（Ｓ１４）。
　【００４３】
　この制御が開始されると、テキストメモリ４１に格納されている１枚目のラベルの文書データ（「Ｔｈｏｍａｓ・・・」）の各文字や記号について、印刷フォーマットメモリ４２に格納されている印刷フォーマット情報に基づいて、フォントメモリからアウトラインデータが読出される。その一方、設定された文字サイズとなるように拡大又は縮小して、ドットパターンに展開処理される。そして、展開処理されたドットパターンデータが印刷バッファ４３に格納される（Ｓ２０）。
　【００４４】
　上記イメージ変換処理が完了すると、通信用インターフェース３７と接続線Ｌとを介してプリンター６に動作状況通知指令を送信し、プリンター６から内部機構各々の動作状況を送信させる（Ｓ２１）。受信した動作状況に異常がなく、動作可能であれば（Ｓ２２：ＮＯ）、先のドットパターンデータが通信用インターフェース３７と接続線Ｌとを介してプリンター６に送信される（Ｓ２３）。一方、プリンター６に異常が発生していたり、印刷処理稼働中であるときは（Ｓ２２：ＹＥＳ）、ＣＲＴディスプレイ３にその理由を表示し、その異常等が解消されるか、前の印刷処理が終了するまでそのまま待機する。
　【００４５】
　ラベル１枚分のドットパターンデータが送信されると、次にファンクション指令信号をプリンター６に送信する（Ｓ２４）。その結果、プリンター６の後述するファンクション処理により、その文書データが印刷用テープ８に印刷される。そして、印刷用テープ８が所定量だけ送給された後、カッタ機構６５で切断され、ラベル「Ｔｈｏｍａｓ　ＪＥＦＦＥＲＳＯＮ」が完成する。
　【００４６】
　この作成されたラベル以外にも、テキストメモリ４１に次のラベルの文書データが存在するときは（Ｓ２６：ＹＥＳ）、Ｓ２０〜Ｓ２６の処理工程を繰り返す。他に文書データが無くなったら（Ｓ２６：ＮＯ）、この制御を終了して、テープ印刷制御のＳ１０にリターンする。
　【００４７】
　次に、プリンター６の制御装置Ｃ２で行われるテープ印刷制御のルーチンについて、図６及び図７の概略フローチャートに基づいて説明する。
　【００４８】
　電源が投入されると、この制御が開始され、まず、ＲＡＭ５６の受信バッファ５６ａ，イメージバッファ５６ｂをクリアする等のテープ印刷制御に関わるデータを初期化する（Ｓ３０）。そして、プリンター６に備えられたキースイッチ６０の何れかの押下があるか否かを検知する（Ｓ３１）。
　【００４９】
　キー入力があり（Ｓ３２：ＮＯ）、そのキーがＦキー６ｂであると検知された場合には（Ｓ３３：ＹＥＳ）、図６に示すファンクション処理を行う（Ｓ３５）。その処理が終了するとＳ３６へ移行する。
　【００５０】
　Ｓ３２において検知されたキー入力がＦキー６ｂでないときには、押下されたキーに対応する処理を行う（Ｓ３４）。例えば、オートカットモードの切換え等である。本実施例のプリンター６は、印刷の終了毎に自動的にテープをフィードカットさせるオートカットモードと、印刷終了後にフィードカットを行わないテープセーブモードとのいずれかを選択設定できる。キーボード４のモード選択キーを押下することで、この２つのモードを切り換えられる。このとき、キーボード４のモード選択キーと上記処理工程のＳ３４とがモード選択手段に相当する。このような各種キーに対応する処理が終了するとＳ３６へ移行する。
　【００５１】
　キー入力が無ければ（Ｓ３２：ＹＥＳ）、データ作成装置２から送られるデータの受信受けの状態になる（Ｓ３６）。
　【００５２】
　データを受信し（Ｓ３６、Ｓ３７：ＮＯ）、そのデータがラベルのドットパターンからなる文書データである場合には（Ｓ３８：ＹＥＳ）、受信した文書データをＲＡＭ５６のイメージバッファ５６ｂに順次格納する（Ｓ４２）。格納したらＳ３１に戻って再びキースイッチ６０からの押下があるか検知する。
　【００５３】
　Ｓ３８において受信したデータがイメージデータでなかった場合、そのデータがファンクション指令（Ｆ指令）であるか否かを判断する（Ｓ３９）。Ｆ指令であれば（Ｓ３９：ＹＥＳ）、図７に示すファンクション処理が行われ（Ｓ４１）、イメージバッファ５６ｂに蓄えられた文書データを印刷用テープ８に印刷したり、印刷用テープ８をフィードカットしたりする。処理が完了すると、Ｓ３１に戻る。
　【００５４】
　Ｓ３９において、Ｆ指令で無い場合には、データ操作や印刷動作設定、プリンター６の各部機構の駆動等の、受信した各々の指令に応じた動作を行う（Ｓ４０）。例えば、動作状況通知指令を受けたなら、現在の印刷処理状況や各機構の異常等のプリンター６の動作状況を返信する。また、メモリクリア指令を受けると、ＲＡＭ５６中の文書データを消去する。指令による各動作が完了した後は、Ｓ３１に戻る。
　【００５５】
　Ｓ３５もしくはＳ４１におけるファンクション処理は、図７のフローチャートに示されるように、先ず、文書データがＲＡＭ５６のイメージバッファ５６ｂに存在するか否かを判断する（Ｓ５０）。文書データが存在するならば（Ｓ５０：ＹＥＳ）、印刷処理を行う（Ｓ５１）。印刷処理は、イメージバッファ５６ｂに格納されているイメージデータを順に１ラインずつ、サーマルヘッド１６にて印刷用テープ８に印刷して行く。印刷処理終了後には、前記Ｓ３４にて設定された印刷後のフィードカット処理に関するモード設定が、オートカットモードであるか否かが判別される（Ｓ５２）。一方、ＲＡＭ５６のイメージバッファ５６ｂに文書データが無い場合（Ｓ５０：ＮＯ）もＳ５２へ移行し、モード設定がどうであるかを判別する。
　【００５６】
　モード設定がオートカットモードであるならば（Ｓ５２：ＹＥＳ）、テープ送りモータ５０により２５ｍｍのテープ送りをし、その後に、ＤＣモータ７１を駆動させてテープカットを行う、いわゆるフィードカット処理を行う（Ｓ５３）。フィードカットを行った後はファンクション処理を終了し、図６のフローチャートに戻る。一方、モード設定がテープセーブモードであるならば（Ｓ５２：ＮＯ）、フィードカット処理を行わずに図６のフローチャートに戻る。
　【００５７】
　尚、上記処理工程のＳ５０及びＳ５２が本発明の判別手段に相当し、上記処理工程のＳ５０乃至Ｓ５３が本発明の制御手段に相当し、特に、上記処理工程のＳ５０：ＹＥＳ，Ｓ５１，Ｓ５２：ＹＥＳ及びＳ５３の流れ
と、処理工程のＳ５０：ＮＯ，Ｓ５２：ＹＥＳ及びＳ５３の流れと
　【００５８】
　以上、説明したように、本実施例のプリンター６は、同一のキー操作及び同一の指令信号を受けても、その時々における文書データの有無に基づいて、オペレータの意図を察知
する図７のファンクション処理ルーチンにより
　【００５９】
　このように、１つのキーで印刷・テープ送り・テープカットを指令できるので、オペレータはキー操作に迷うことなく押下することが出来る。その上、プリンター６の構造が複雑になることなく、それと共に、製造コストも抑えられる。
　【００６０】
　同様に、データ作成装置２等の外部機器からプリンター６へ、印刷・テープ送り・テープカットを指令するときも１つの指令信号で賄うことが可能になるため、外部機器中のプリンター制御プログラムが複雑になることがなく、通信上の機構（インターフェース３７，５８、接続線Ｌ等）も簡略化できる。また、指令信号が単純化されることで、インターフェイス３７，５８や通信上の伝送不良から生じる動作異常が防止できる。
　【００６１】
　【発明の効果】
　以上説明したことから明かなように、本発明のテープ印刷装置は、印刷指令と排出指令とカット指令とを
データ作成装置からの
又はプリンタの１つのキー押下
１つの指令又は１つのキー押下の時におけるプリンタのモード選択や印刷データの存否の状況
プリンタ
プリンタ
【図面の簡単な説明】
　【図１】
　テープ印刷装置の斜視図である。
　【図２】
　印刷機構の概略平面図である。
　【図３】
　テープ印刷装置の制御系のブロック図である。
　【図４】
　データ作成装置におけるテープ印刷制御のルーチンの概略フローチャートである。
　【図５】
　データ作成装置における印刷処理制御のルーチンの概略フローチャートである。
　【図６】
　プリンターにおけるテープ印刷制御のルーチンの概略フローチャートである。
　【図７】
　プリンターにおける印刷処理制御のルーチンの概略フローチャートである。
　【符号の説明】
　１　テープ印刷装置
　２　データ作成装置
　４　キーボード
　６　プリンター
　８　印刷用テープ
　１５　接合ローラ
　１６　サーマルヘッド
　５０　テープ送りモータ
　５４　ＣＰＵ
　５５　ＲＯＭ
　５６　ＲＡＭ
　６０　キースイッチ
　６５　カッタ機構
　Ｃ２　制御装置